(57)【要約】【課題】ホスト装置に接続された複数のプロジェクタに、所定の文字情報を画像として出力させる、および／または、音声として出力させるように、ホスト装置を制御することができるプロジェクタ制御プログラムを提供することを目的とする。【解決手段】複数のプロジェクタ（１０１〜１０３）と接続されるホスト装置（４００）に、複数の前記プロジェクタに画像として出力させる、および／または、音声として出力させるための文字情報を生成する文字情報生成手順と、複数の前記プロジェクタが起動しているか否かを示す起動情報を、複数の前記プロジェクタから受信する起動情報受信手順と、受信した前記起動情報に基づいて、複数の前記プロジェクタのうち、起動している前記プロジェクタに対し、生成した前記文字情報を送信する文字情報送信手順とを実行させるようにした。【選択図】        図１
2011128425.tif 000002
【特許請求の範囲】
【請求項１】
複数のプロジェクタと接続されるホスト装置に、
複数の前記プロジェクタに画像として出力させる、および／または、音声として出力させるための文字情報を生成する文字情報生成手順と、
複数の前記プロジェクタが起動しているか否かを示す起動情報を、複数の前記プロジェクタから受信する起動情報受信手順と、
受信した前記起動情報に基づいて、複数の前記プロジェクタのうち、起動している前記プロジェクタに対し、生成した前記文字情報を送信する文字情報送信手順
とを実行させるためのプロジェクタ制御プログラム。
【請求項２】
前記文字情報送信手順では、起動している前記プロジェクタに対し、前記文字情報を所定の時刻に送信することを特徴とする請求項１に記載のプロジェクタ制御プログラム。
【請求項３】
複数の前記プロジェクタが準備状態にあるか否かを示す準備情報を、複数の前記プロジェクタから受信する準備情報受信手順と、
受信した前記準備情報に基づいて、複数の前記プロジェクタのうち、準備状態にあるプロジェクタに対し当該プロジェクタを起動させる起動信号を出力する起動信号出力手順とをさらに備え、
前記文字情報送信手順では、前記起動信号が出力されてから所定時間経過後に、起動している前記プロジェクタおよび前記起動信号が出力されたプロジェクタに対し、生成した前記文字情報を送信することを特徴とする請求項１に記載のプロジェクタ制御プログラム。
【請求項４】
複数の前記プロジェクタに、前記文字情報に基づいてどのように音声を出力させるかを示す音声制御情報を生成する音声制御情報生成手順と、
生成した前記音声制御情報を、前記文字情報に付加する音声制御付加手順とをさらに備えることを特徴とする請求項１に記載のプロジェクタ制御プログラム。
【請求項５】
複数の前記プロジェクタが、前記文字情報を画像として出力するのか、音声として出力するのか、もしくは画像および音声として出力するのかを示す出力選択情報を生成する出力選択情報生成手順と、
生成した前記出力選択情報を、前記文字情報に付加する選択情報付加手順とをさらに備えることを特徴とする請求項１に記載のプロジェクタ制御プログラム。
【請求項６】
前記文字情報は、複数の前記プロジェクタが設置される施設の使用者に対し、案内情報を通知するものであることを特徴とする請求項１から５のいずれかに記載のプロジェクタ制御プログラム。
【請求項７】
プロジェクタクレーム
請求項１のプロジェクタ制御プログラムがインストールされたホスト装置に接続されるプロジェクタであって、
当該プロジェクタが起動しているか否かを示す起動情報を生成する起動情報生成部と、
生成した前記起動情報を前記ホスト装置に送信する起動情報送信部と、
前記ホスト装置から送信された前記文字情報を受信する文字情報受信部と、
前記文字情報から文字画像を生成する文字画像生成部と、
前記文字画像を含む表示画像を生成する表示画像生成部と、
前記表示画像を出力する画像出力部と、
前記文字情報から音声信号を生成し出力する音声信号生成部と
を備えることを特徴とするプロジェクタ。
【請求項８】
前記文字画像生成部から出力される画像生成完了信号と、前記音声信号生成部から出力される音声生成完了信号とに基づいて、前記画像生成部からの前記表示画像の出力と前記音声信号生成部からの前記音声信号の出力とが同期するように、前記画像出力部および前記音声信号生成部を制御する同期制御部を備えることを特徴とする請求項７のプロジェクタ。
【請求項９】
前記文字情報には、複数の前記プロジェクタに前記文字情報に基づいてどのように音声を出力させるかを示す音声制御情報が付加されており、
前記文字情報と当該文字情報に付加された前記音声制御情報とに基づいて音声信号を生成し出力する音声信号生成部と
を備えることを特徴とする請求項７に記載のプロジェクタ。
【請求項１０】
前記文字情報には、複数の前記プロジェクタが、前記文字情報を画像として出力するのか、音声として出力するのか、もしくは画像および音声として出力するのかを示す出力選択情報が付加されており、
前記文字情報に付加された前記出力選択情報に基づいて、前記画像出力部が前記表示画像を出力する、および／または、前記音声信号生成部が前記音声信号を出力するように、前記画像出力部および前記音声信号出力部を制御する選択制御部と
を備えることを特徴とする請求項７に記載のプロジェクタ。
【請求項１１】
複数のプロジェクタと、複数の前記プロジェクタとネットワークを介して接続されるホスト装置とからなるプロジェクタシステムであって、
前記ホスト装置は、
複数の前記プロジェクタに画像として出力させる、および／または、音声として出力させるための文字情報を生成する文字情報生成部と、
複数の前記プロジェクタが起動しているか否かを示す起動情報を、複数の前記プロジェクタから受信する起動情報受信部と、
受信した前記起動情報に基づいて、複数の前記プロジェクタのうち、起動している前記プロジェクタに対し、生成した前記文字情報を送信する文字情報送信部
とを備え、
複数の前記プロジェクタは、
前記プロジェクタが起動しているか否かを示す起動情報を生成する起動情報生成部と、
生成した前記起動情報を前記ホスト装置に送信する起動情報送信部と、
前記ホスト装置から送信された前記文字情報を受信する文字情報受信部と、
前記文字情報から文字画像を生成する文字画像生成部と、
前記文字画像を含む表示画像を生成する表示画像生成部と、
前記表示画像を出力する画像出力部と、
前記文字情報から音声信号を生成し出力する音声信号生成部と
を備えることを特徴とするプロジェクタシステム。
【発明の詳細な説明】
【技術分野】
【０００１】
本発明は、複数のプロジェクタを制御するプロジェクタ制御プログラム、このプロジェクタ制御プログラムがインストールされたホスト装置に接続されるプロジェクタ、および複数のプロジェクタとこの複数のプロジェクタを制御するホスト装置とからなるプロジェクタシステムに関する。
【背景技術】
【０００２】
ネットワークを介して接続されたホスト装置に、使用者の操作に基づく操作信号を送信し、この操作信号に応じてホスト装置から送信される音声情報を受信することによって、使用者が選択した音声情報を再生するインターフェース装置がある（例えば、特許文献１）。また、装置内のメモリに複数のエラー警告文や製品の使い方の説明文などの文字情報を記憶し、使用者の操作に合わせて適当な文字情報を選択し音声として出力するプロジェクタがある。
【先行技術文献】
【特許文献】
【０００３】
【特許文献１】特開２００４−１６４４３８号公報
【発明の概要】
【発明が解決しようとする課題】
【０００４】
しかし、特許文献１のホスト装置は、操作信号を送信した装置に対して所定の情報を送信するものであり、複数の装置を一括して管理するものではない。そのため、特許文献１に上記従来のプロジェクタを適用したとしても、ホスト装置によって複数のプロジェクタを一括して管理することができず、ホスト装置に接続された複数のプロジェクタに、所定の文字情報を画像または音声として出力させることはできなかった。
【０００５】
そこで、本発明は、ホスト装置に接続された複数のプロジェクタに、所定の文字情報を画像として出力させる、および／または、音声として出力させるように、ホスト装置を制御することができるプロジェクタ制御プログラム、このプロジェクタ制御プログラムがインストールされたホスト装置に接続されるプロジェクタ、および前記ホスト装置およびプロジェクタとからなるプロジェクタシステムを提供することを目的とする。
【課題を解決するための手段】
【０００６】
本発明に係るプロジェクタ制御プログラムは、複数のプロジェクタと接続されるホスト装置に、複数の前記プロジェクタに画像として出力させる、および／または、音声として出力させるための文字情報を生成する文字情報生成手順と、複数の前記プロジェクタが起動しているか否かを示す起動情報を、複数の前記プロジェクタから受信する起動情報受信手順と、受信した前記起動情報に基づいて、複数の前記プロジェクタのうち、起動している前記プロジェクタに対し、生成した前記文字情報を送信する文字情報送信手順とを実行させるものである。
【０００７】
また、本発明に係るプロジェクタは、プロジェクタ制御プログラムがインストールされたホスト装置に接続されるプロジェクタであって、当該プロジェクタが起動しているか否かを示す起動情報を生成する起動情報生成部と、生成した前記起動情報を前記ホスト装置に送信する起動情報送信部と、前記ホスト装置から送信された前記文字情報を受信する文字情報受信部と、前記文字情報から文字画像を生成する文字画像生成部と、前記文字画像を含む表示画像を生成する表示画像生成部と、前記表示画像を出力する画像出力部と、前記文字情報から音声信号を生成し出力する音声信号生成部とを備えるものである。
【０００８】
また、本発明に係るプロジェクタシステムは、複数のプロジェクタと、複数の前記プロジェクタとネットワークを介して接続されるホスト装置とからなるプロジェクタシステムであって、前記ホスト装置は、複数の前記プロジェクタに画像として出力させる、および／または、音声として出力させるための文字情報を生成する文字情報生成部と、複数の前記プロジェクタが起動しているか否かを示す起動情報を、複数の前記プロジェクタから受信する起動情報受信部と、受信した前記起動情報に基づいて、複数の前記プロジェクタのうち、起動している前記プロジェクタに対し、生成した前記文字情報を送信する文字情報送信部とを備え、複数の前記プロジェクタは、前記プロジェクタが起動しているか否かを示す起動情報を生成する起動情報生成部と、生成した前記起動情報を前記ホスト装置に送信する起動情報送信部と、前記ホスト装置から送信された前記文字情報を受信する文字情報受信部と、前記文字情報から文字画像を生成する文字画像生成部と、前記文字画像を含む表示画像を生成する表示画像生成部と、前記表示画像を出力する画像出力部と、前記文字情報から音声信号を生成し出力する音声信号生成部とを備えることを特徴とするものである。
【発明の効果】
【０００９】
本発明によれば、ホスト装置に接続された複数のプロジェクタに、所定の文字情報を画像として出力させる、および／または、音声として出力させることができる。
【図面の簡単な説明】
【００１０】
【図１】この発明の実施の形態１に係るプロジェクタシステムの構成を示すブロック図である。
【図２】この発明の実施の形態１に係るホスト装置の構成を示すブロック図である。
【図３】この発明の実施の形態１に係るプロジェクタの構成を示すブロック図である。
【図４】この発明の実施の形態１に係るプロジェクタの各構成要素に入出力される信号に含まれる画像を示す概念図である。
【図５】この発明の実施の形態１に係るプロジェクタにおけるシステム制御部の構成を示すブロック図である。
【図６】この発明の実施の形態１に係るプロジェクタにおけるシステム制御部の動作を示すフローチャートである。
【図７】この発明の実施の形態２に係るホスト装置を示すブロック図である。
【図８】この発明の実施の形態２に係るホスト装置における文字情報生成部および音声制御付加部の処理とこれらに入出力される信号を示す概念図である。
【図９】この発明の実施の形態２に係るプロジェクタにおける文字画像生成部の処理と入出力される信号を示す概念図である。
【図１０】この発明の実施の形態２に係るプロジェクタにおける音声合成部の処理内容を示す機能ブロック図である。
【図１１】この発明の実施の形態３に係るホスト装置を示すブロック図である。
【図１２】この発明の実施の形態３に係るプロジェクタにおけるシステム制御部を示すブロック図である。
【図１３】この発明の実施の形態４にかかるホスト装置を示すブロック図である。
【発明を実施するための形態】
【００１１】
実施の形態１．
図１は、実施の形態１に係るプロジェクタシステム２００の構成を示すブロック図である。図１において、プロジェクタシステム２００は、複数のプロジェクタ１００、１０１、１０２と、これら複数のプロジェクタ１００〜１０２にネットワーク３００を介して接続されるホスト装置４００から構成されている。なお、図１においては、プロジェクタは３台しか記載していないが、例えば１００台以上のプロジェクタが接続されるようにしてもよい。プロジェクタ１００〜１０２は、ホスト装置４００から送信された文字情報をネットワーク３００を介して受信し、受信した文字情報を画像および／または音声として出力する。
【００１２】
プロジェクタシステム２００は、例えば高校や大学などの学校施設に設置することができる。学校施設の各教室に設置されるプロジェクタ１００〜１０２を、集中管理室に設置されるホスト装置４００により一括して管理することにより、各教室のプロジェクタにて昼休み中、休憩中、下校時刻、授業開始５分前などの時刻に応じて変化する学校施設の運営状況を、学生に通知することができる。なお、プロジェクタシステム２００を設置する場所は、学校施設に限られるものではなく、病院やショッピング施設などに設置することができる。すなわち、施設の利用者に対して案内情報を通知するために用いることができる。
【００１３】
図２は、実施の形態１にかかるホスト装置４００の構成を示すブロック図である。ホスト装置４００は例えばパーソナルコンピュータであり、文字列情報と表示装飾情報を取得する表示文字情報入力部２１と、文字列情報および表示装飾情報から文字情報を生成する文字情報生成部２２と、文字情報をＬＡＮ等のネットワークで用いられるＴＣＰ等の通信プロトコルに合わせた通信コマンドとしての文字情報データに変換する通信コマンド変換部２３と、文字情報生成部２２から出力された文字情報を記憶し、必要に応じて通信コマンド変換部２３に出力する文字情報保持部２４と、通信コマンド変換部２３にて変換された文字情報データおよびプロジェクタ１００〜１０２の動作状態を確認するための動作確認信号を、ネットワーク３００を介して接続されたプロジェクタ１００〜１０２に出力するＬＡＮ等のネットワークインターフェース部２０（起動情報受信部）とで構成される。
【００１４】
表示文字情報入力部２１は、例えばホスト装置４００の図示しない画面に、文字入力欄と入力した文字をどのように表示するかという文字表示の大きさ、色、フォントなどの表示形式に係る設定項目とから構成されたＧＵＩ（グラフィカル・ユーザ・インターフェース）を表示する。そして、使用者がホスト装置４００に接続される図示しないキーボード等を用いて文字入力欄に入力する文字を文字列情報として取得し、設定項目から選択する文字表示の表示形式を表示装飾情報として取得する。例えば、プロジェクタシステム２００を学校施設に設置する場合には、時刻に応じて変化する学校施設の運営状況を通知する情報を入力するようにすればよい。取得された文字列情報と表示装飾情報は、文字情報記憶部２４または文字情報生成部２２に出力される。
【００１５】
文字情報生成部２２は、入力された文字列情報を例えばＡＳＣＩＩ等の文字コードに変換し、その上でコード化された表示装飾情報を付加することで、文字情報を生成する。生成された文字情報は通信用コマンド変換部２３にて通信コマンドに変換される。このとき、生成された文字情報を文字情報記憶部２４に記憶しておけば、表示文字情報入力部２１にて再度入力を行わなくとも、文字情報を通信コマンド変換部２３に出力することができる。すなわち、文字情報記憶部２４は、通信コマンド変換部２３に出力する文字情報を生成する機能を有している。通信用コマンド変換部２３の出力はネットワークインターフェース部２０へ出力される。ネットワークインターフェース部２０は、プロジェクタ１００〜１０２に対し動作確認信号を送信し、起動している旨の動作情報信号を返信したプロジェクタにのみ、通信用のコマンドに変換された文字情報データを送信する。このとき、起動している旨の動作情報信号を返信した複数のプロジェクタに対し、文字情報データを所定の時刻に同時に送信するようにすれば、例えば学校施設の各教室において時間差なく授業の開始を通知することができる。ホスト装置４００で構成される要素はそれぞれ、ホスト装置４００にプロジェクタ制御プログラムをインストールすることにより、ホスト装置４００の有するメモリや演算装置を各要素の機能を奏するように動作させることで実現することができる。
【００１６】
次に、プロジェクタ１００〜１０２について説明する。プロジェクタ１００〜１０２は同様の構成を有しているので、以下では、プロジェクタ１００のみを例に挙げて説明する。図３は、プロジェクタ１００の構成を示すブロック図である。図３において、プロジェクタ１００は、入力画像信号に画像信号処理を行い後述の画像出力部３に適した信号形式に変換する画像信号処理部１、画像信号処理部１からの画像信号と後述する文字画像生成部５からの文字画像信号を１つの表示画像信号に合成する画像合成部２（表示画像生成部）、画像合成部２から出力された画像信号に基づいて図示しないスクリーンに画像を出力する画像出力部３、例えばＬＡＮ等の規格に基づくネットワークインターフェースであり接続された外部の機器と通信を行うネットワークインターフェース部４（文字情報受信部、起動情報送信部）、文字情報から文字画像を生成する文字画像生成部５、文字情報から音声信号を生成する音声合成部６（音声信号生成部）、入力音声信号と音声合成部６の音声出力の切り換えを行う音声切替部８、画像合成部２および音声合成部６を制御するシステム制御部９（同期制御部）、およびプロジェクタ１００動作状態を示す情報を生成する動作情報生成部１２（起動情報生成部）とから構成されている。
【００１７】
ネットワークインターフェース部４は、ホスト装置４００から動作確認信号を受信すると、動作情報生成部１２からプロジェクタ１００の動作情報を読み出し、動作情報信号としてホスト装置４００に送信する。動作情報生成部１２は、光源が点灯中である場合には起動している旨の動作情報を生成し、光源は消灯しているがプロジェクタ１００自体は起動している場合には準備状態である旨の動作情報を生成する。起動していることを示す動作情報信号がホスト装置４００に送信されると、ホスト装置４００からは、文字情報データが入力される。ネットワークインターフェース部４は、文字情報データを受信し、文字情報に変換して文字画像生成部５へ出力する。文字画像生成部５は、文字情報から文字列と文字修飾情報情報を抽出し、例えば画面表示する文字の形状のデータである文字データが記憶された図示しないメモリから、抽出した文字列に対応する文字データを読み込み、フレームバッファ等のメモリ上に文字データを並べた文字画像を作成する。さらに、抽出した文字修飾情報情報に基づいて、作成した文字画像の文字の色やフォントの修飾を行い、文字画像データを生成する。文字画像生成部５は、文字画像データの生成が完了した時にシステム制御部９に生成完了信号を送り、システム制御部９は文字画像生成部５の処理が完了したことを検知する。
【００１８】
また、プロジェクタ１００には、入力画像信号が送信される。入力画像信号は、プロジェクタ１００に設けられた外部信号入力端子から直接入力されるものであってもよいし、ホスト装置４００からネットワーク２００を介して入力されるものであってもよい。プロジェクタ１００に入力された入力画像信号は、画像信号処理部１へ入力される。画像信号処理部１は、入力画像信号に対し各種マトリクス演算やガンマ補正等の画像信号処理を行い、画像出力部３内の画像表示部の信号形式に変換した上で、画像信号として画像合成部２へ出力する。
【００１９】
画像合成部２では、画像信号処理部１より出力された画像信号と文字画像生成部５で生成された文字画像データとを合成した表示画像信号を生成する。画像の合成方法としては、例えばフレームバッファ等のメモリに画像信号を書き込み、画像信号が書き込まれたメモリ上の記憶領域のうち、文字画像データの示す文字画像が配置される領域に、文字画像のデータを上書きすることにより実現できる。若しくは、画像信号と文字画像データを個別にフレームバッファ等のメモリに保存し、文字画像データの有無で読み出す画像を切り替えることにより実現できる。なお、画像合成部２は、画像信号の入力がなく文字画像データのみの入力がある場合には、文字画像データのみが含まれる表示画像信号を生成し、出力するようにする。
【００２０】
システム制御部９は、文字画像生成部５からの生成完了信号を検知した後に、表示画像信号を出力するよう画像合成部２を制御する。画像合成部２から出力された表示画像信号は、画像出力部３に入力される。画像出力部３は、表示画像信号に対応する画像を表示する画像表示部と画像表示部に表示された画像をスクリーンに拡大投写する拡大光学系とを有しており、図示しない光源から出力された光を変調してスクリーンに拡大投写する。画像表示部には、液晶パネルやＤＭＤ（デジタル・ミラー・デバイス）などの光変調デバイスを用いることができる。以上のような構成により、スクリーンには文字情報を含んだ画像が表示される。
【００２１】
図４は、プロジェクタ１００の各構成要素に入出力される信号に含まれる画像を示す概念図である。図４において、図３と同一また対応する構成については、同一の符号を付し、説明を省略する。図４において、プロジェクタ１００には画像５１を含む入力画像信号が入力される。画像信号処理部１から出力される画像信号に含まれる画像５２は、基本的には画像５１から変化しない。また、図４において、プロジェクタ１００には、ホスト装置４００で使用者が入力した文字列”Hello”および文字修飾情報情報から生成された文字情報データが入力される。そのため、文字画像生成部５からは、表示装飾情報の条件で装飾された文字列”Hello”が表れる画像５４を含む文字画像データが出力される。画像合成部２からは、画像５２に画像５４を重畳した画像５５が出力される。その結果、スクリーンには、入力画像信号に含まれる画像５１上に、ホスト装置４００で入力された文字列”Hello”が重畳した画像１２が表示される。
【００２２】
また、図３において、文字情報は、ネットワークインターフェース部４の出力から音声合成部６へ入力される。音声合成部６は、文字情報から文字列を抽出し、文の組み立てを行い文節や単語の識別などのテキスト解析を行う。次に、文字から音への変換やアクセント情報を付加して音声合成を行う。音声合成の部としては、予め録音された音の断片をつなぎ合せる連結的合成や基底周波数や音色、雑音レベル等のパラメータを調整して波形を作り人工的な音声を作るフォルマント合成で行う。音声合成部６は、音声合成の完了時にシステム制御部９に合成完了信号を送り、システム制御部９は音声合成部６の処理が完了したことを検知する。音声合成部６の処理完了を検知したシステム制御部９は音声切替部８の出力を入力音声信号から音声合成部６の音声出力に切り換える制御を行う。音声切替部８の出力は、スピーカー７に入力され、スピーカー７から文字情報が音声として出力される。なお、入力音声信号は、プロジェクタ１００に設けられた外部信号入力端子から直接入力されるものであってもよいし、ホスト装置４００からネットワーク２００を介して入力されるものであってもよい。
【００２３】
図５は、システム制御部９の構成を示すブロック図である。図５において、システム制御部９以外の構成は、システム制御部９に入出力される信号を説明するために概略的に示している。システム制御部９は、生成完了信号（画像生成完了信号）を検知する生成完了信号検知部６１と、合成完了信号（音声生成完了信号）を検知する合成完了信号検知部６２と、生成完了信号検知部６１の検知結果と、合成完了信号検知部６２の検知結果の論理積を出力する論理演算部６３とで構成される。システム制御部９は文字画像生成部５の生成完了信号と、音声合成部６の生成完了信号を検知するので、画像の生成および音声の合成が完了した後に同期して画像及び音声を出力させることができる。
【００２４】
文字画像生成部５の出力である生成完了信号は、例えば論理回路のＴＴＬ出力で、生成完了時に”Ｌｏｗ”（以下”Ｌ”と記す）から”Ｈｉｇｈ”（以下”Ｈ”と記す）に変化する信号を出力する。ＴＴＬ出力は、”Ｌ”の電圧は０．４Ｖ以下、”Ｈ”の電圧は２．７Ｖ以上である（以下、システム制御部９の各構成要素の入出力はＴＴＬ入出力とする）。生成完了信号検出部６１の入力は、生成完了信号の”Ｈ”を検出すると生成完了信号検出部６１の出力は”Ｈ”を保持する。音声合成部６の出力である合成完了信号も、生成完了信号と同様にして合成完了時にＴＴＬ出力の”Ｈ”を出力する。合成完了信号検出部６２は合成完了信号の”Ｈ”を検出すると合成完了信号検出部６２の出力は”Ｈ”を保持する。論理演算部６３は、生成完了信号検出部６１の出力と合成完了信号検知部６２の出力の両方が”Ｈ”になるとシステム制御部９の出力として”Ｈ”を出力する。システム制御部９が”Ｈ”を出力すると、画像合成部２は画像合成を行い、画像表示部３へ表示画像信号を出力し、同時に音声合成部６は合成音声信号を音声切替部８へ出力し、音声切替部８は合成音声信号を出力する。
【００２５】
次に、システム制御部９の動作フローについて説明する。図６は、システム制御部９の動作を示すフローチャートである。以下、フローチャートを動作の順に説明する。システム制御部９は生成完了信号および合成完了信号の検知をスタートする（Ｓ１０１）。検知された生成完了信号により文字画像の生成が完了したかを判別し（Ｓ１０２）、文字画像の生成が完了するまで判別を繰り返す（Ｓ１０２のＹｅｓ）。判別結果が完了となれば（Ｓ１０２のＹｅｓ）、検出された合成完了信号により音声合成が完了したかを判別し、音声合成が完了するまで判別を繰り返す（Ｓ１０３のＮｏ）判別結果が完了となれば（Ｓ１０３のＹｅｓ）、完了判別結果をトリガーとして、画像合成部２から表示画像信号を出力させ（Ｓ１０４）、音声合成部６から合成音声信号を出力させ（Ｓ１０５）、音声切替部８から音声合成部６にて生成された合成音声信号が出力されるように切換える処理を行う（Ｓ１０６）。なお、生成完了信号および合成完了信号の判定結果が完了となるまでは、画像合成部２からは入力画像信号のみから生成した表示画像信号を出力させ、音声切替部８からは入力音声信号を出力させるようにすることができる。
【００２６】
このように、システム制御部９において、文字画像の生成が完了したことを通知する生成完了信号と音声合成が完了したことを通知する合成完了信号とを検知するので、画像出力と音声出力の出力タイミングを同期させることができる効果がある。
【００２７】
以上のように、実施の形態１に係るプロジェクタシステムにおいては、文字情報を画像として出力するだけでなく、音声としても出力するので、画像としてのみ出力した場合と比べて情報伝達能力が向上する効果がある。また、文字情報からプロジェクタにおいて音声を生成するので、音声信号を符号化した音声データをネットワークで通信する場合と比べて通信するデータ量を少なくすることができる効果がある。
【００２８】
実施の形態２．
図７は実施の形態２に係るホスト装置４００Ａを示すブロック図である。図７において図２と同一または対応する構成については、同一の符号を付し、説明を省略する。ホスト装置４００Ａは、表示文字情報入力部２１Ａ、音声制御付加部２５を備えている。ホスト装置４００Ａから出力する文字情報に音質の変更や音量、繰り返し等の音声制御情報を加えて送信することにより、プロジェクタ１００Ａの音声合成部６Ａで音質の変更や音量、繰り返し等の音声制御を行うことができる。
【００２９】
表示文字情報入力部２１Ａは、例えばホスト装置４００Ａの図示しない画面に、文字入力欄と、入力した文字をどのように表示するかという文字表示の修飾に係る文字設定項目と、どのように音声を出力させるかという音声出力の制御に係る音声設定項目とから構成されたＧＵＩを表示する。そして、使用者がホスト装置４００Ａに接続される図示しないキーボード等を用いて文字入力欄に入力する文字を文字列情報として取得し、文字設定項目から選択する文字表示の表示形式を表示装飾情報として取得し、音声設定項目から選択する音声出力の制御を音声制御情報として取得する。音声制御付加部２５は、文字情報生成部２２で生成した文字情報に、表示文字情報入力部２１Ａが取得した音声制御情報を加えた音声制御文字情報を生成する。通信コマンド変換部２３は、音声制御文字情報をＬＡＮ等のネットワークで用いられるＴＣＰ等の通信プロトコルに合わせた通信コマンドに変換する。
【００３０】
次に、図８を用いてホスト装置４００Ａの動作について説明する。図８は、文字情報生成部２２および音声制御付加部２５の処理とこれらに入出力される信号を示す概念図である。ホスト装置４００Ａの使用者は、画面に表示されたＧＵＩの文字入力欄に文字列を入力し、文字設定項目と音声設定項目から所望の設定を選択する。これにより、文字情報生成部２２には、文字列情報と表示装飾情報が入力され、音声制御付加部２５には音声制御情報が入力される。文字情報生成部２２では、文字列情報を文字コードに変換し（矢印ａ）、表示修飾情報をコード化して修飾コードに変換することにより（矢印ｂ）、文字情報を生成し出力する。音声制御付加部２５は、音声制御情報をコード化し制御コードに変換し（矢印ｃ）、文字情報生成部２２から入力された文字情報に付加して音声制御文字情報を生成する。生成された音声制御文字情報は、通信用コマンド変換部２３にて通信コマンドとしての音声制御文字情報データに変換され、ネットワークインターフェース部２０からプロジェクタ１００Ａに送信される。
【００３１】
次に、図９および図１０を用いてプロジェクタ１００Ａの動作について説明する。図９は、プロジェクタ１００Ａの文字画像生成部５Ａの処理と入出力される信号を示す概念図である。図１０は、プロジェクタ１００Ａの音声合成部６Ａの処理内容を示す機能ブロック図である。プロジェクタ１００Ａのネットワークインターフェース部４はホスト装置４００Ａから受信した音声制御文字情報データを音声制御文字情報に変換し、文字情報生成部５Ａと音声合成部６Ａへ出力する。
【００３２】
文字情報生成部５Ａは、音声制御文字情報を制御コードと文字情報にデコードし、文字情報のみ抽出する（図９の矢印ｄ）。そして、抽出した文字情報から文字画像を生成する（図９の矢印ｅ）。音声合成部６Ａは、音声制御文字情報を制御コードと文字情報にデコードし、制御コードを音声制御情報にデコードし（図１０の矢印ｊ）、文字情報を修飾コードと文字コードにデコードし（図１０の矢印ｆ）、文字コードを文字列に変換する（図１０の矢印ｇ）。文字列は、文の組み立てを行い、文節や単語の識別などを行うテキスト解析を行い、音声合成用信号変換部６１に出力される（図１０の矢印ｉ）。音声合成用信号変換部６１は、テキスト解析の結果に基づいて文字列の音への置換えとアクセント情報の付加を行い、音声制御情報で音声修飾した合成音声信号を出力する。
【００３３】
以上のように、ホスト装置４００Ａから送信する文字情報に音質の変更や音量、繰り返し等の音声制御情報を加え、プロジェクタ１００Ａの音声合成部６Ａにおいて音声信号に音声制御情報による制御を加えるので、音声修飾が行える効果がある。
【００３４】
実施の形態３．
図１１は実施の形態３に係るホスト装置４００Ｂを示すブロック図である。図１１において図２と同一または対応する構成については、同一の符号を付し、説明を省略する。ホスト装置４００Ｂは、表示文字情報入力部２１Ｂ、選択情報付加部２６を備えている。
【００３５】
表示文字情報入力部２１Ｂは、例えばホスト装置４００Ｂの図示しない画面に、文字入力欄と、入力した文字をどのように表示するかという文字表示の修飾に係る文字設定項目と、どのように音声を出力させるかという音声出力の制御に係る音声設定項目とから構成されたＧＵＩを表示する。ここで、文字設定項目に文字情報を画像として表示することの有無を選択できる項目を加え、音声設定項目に文字情報を音声として出力することの有無を選択できる項目を加えるようにする。そして、表示文字情報入力部２１Ｂは、ホスト装置４００Ｂの使用者の操作に応じて、文字列情報、装飾情報、音声制御情報、および文字情報を文字情報を画像として表示することの有無を示す画像出力選択情報と音声として出力することの有無とを示す音声出力選択情報からなる出力設定情報を取得する。すなわち、出力設定情報は、文字情報を画像として出力するのか、音声として出力するのか、もしくは画像および音声として出力するのかという出力形式の選択を示す情報である。選択情報付加部２６は、文字情報生成部２２で生成した文字情報に、表示文字情報入力部２１Ｂが取得した音声制御情報と出力選択情報とを加えた音声制御文字情報を生成する。生成された音声制御文字情報は、音声制御文字情報データとしてネットワークインターフェース部２０からプロジェクタ１００Ｂへ送信される。
【００３６】
プロジェクタ１００Ｂの文字画像生成部５Ｂは、ネットワークインターフェース部４から出力される音声制御文字情報から出力選択情報を抽出し、出力選択情報に含まれる画像出力選択情報をシステム制御部９Ｂに出力する。音声合成部６Ｂも音声制御情報をデコードして出力選択情報を抽出し、出力選択情報に含まれる音声出力選択情報をシステム制御部９Ｂに出力する。
【００３７】
図１２は、実施の形態３に係るシステム制御部９Ｂ（選択制御部）を示すブロック図である。図１２において、システム制御部９Ｂ以外の構成は、システム制御部９Ｂに入出力される信号を説明するために概略的に示している。また、図５と同一または対応する構成については、同一の符号を付し、説明を省略する。システム制御部９Ｂは、生成完了信号検知部６１と、生成完了信号検知部６１の出力と画像の出力選択情報の論理積を出力する論理演算部６４と、合成完了信号検知部６２と、合成完了信号検知部６２の出力と音声の出力選択情報の論理積を出力する論理演算部６５で構成されている。
【００３８】
文字画像生成部５Ｂから出力される画像出力選択信号は、例えば論理回路のＴＴＬ出力であり、文字情報を画像として出力する時は”Ｈ”となっている。生成完了信号検知部６１が生成完了信号を検知し”Ｈ”を出力すると、論理演算部６４は”Ｈ”を出力し、画像合成部２から表示画像信号が出力される。音声合成部６Ｂから出力される音声出力選択情報も、例えば論理回路のＴＴＬ出力であり、文字情報を音声として出力する時は”Ｈ”となっている。合成完了信号検知部６２が合成完了信号を検知し ”Ｈ”を出力すると、論理演算部６５は”Ｈ”を出力し、音声切替部８から合成音声信号が出力される。
【００３９】
以上のように、画像を表示する構成と音声を出力する構成が独立して設けられているプロジェクタ１００Ａを有するプロジェクタシステムにおいて、ホスト装置４００Ｂから出力選択情報を付加した文字情報を送信し、プロジェクタ１００Ｂのシステム制御部９Ｂよって、出力選択情報を用いて表示画像信号と合成音声信号の出力を独立して制御することにより、文字情報を画像として出力するか音声として出力するかを、使用者が選択することが出来る。
【００４０】
実施の形態４．
実施の形態１では、ホスト装置４００のネットワークインターフェース部２０において、プロジェクタ１００〜１０２に対し動作確認信号を送信し、起動している旨の動作情報信号を返信したプロジェクタにのみ、通信用のコマンドに変換された文字情報データを送信するようにした。しかし、準備状態にあるプロジェクタをホスト装置４００から送信する起動信号によって起動させることにより、準備状態にあったプロジェクタにも文字情報を画像または音声として出力させることができる。
【００４１】
図１３は、実施の形態４にかかるホスト装置４００Ｃを示すブロック図である。図１３において、図２と同一または対応する構成については同一の符号を付し、説明を省略する。ネットワークインターフェース部２Ｃは、ホスト装置４００に接続されるプロジェクタから出力される動作情報信号を検出し、動作情報信号が準備状態であることを示すプロジェクタに対し、このプロジェクタを起動させる起動信号を出力する。そして、ネットワークインターフェース部２Ｃは、起動信号を出力してから所定時間経過後に、起動しているプロジェクタ及び起動信号を送信したプロジェクタに対し、文字情報データを送信する。ここで、所定時間の経過を待つのは、プロジェクタが起動信号を受けて起動を開始しても、光源の種類によって光源の出力する光の輝度が画像を表示するに十分な値まで上昇するまでに時間がかかるためである。例えば、光源にＨＩＤ（高輝度放電ランプ）を用いた場合には、１分程度待つようにする。しかし、光源にＬＥＤ（発光ダイオード）を用いた場合には、光源の出力する輝度が瞬時に画像を表示するに十分な値まで上昇するため、上記のような待ち時間は必要ではない。
【００４２】
なお、上述では、起動信号を出力してから所定時間経過後に、起動しているプロジェクタ及び起動信号を送信したプロジェクタに対し文字情報データを送信するようにしたが、各プロジェクタで同時に文字情報を表示する必要がない場合には、起動しているプロジェクタに対して先に文字情報データを送信し、所定時間経過後に起動信号を送信したプロジェクタに対して文字情報データを送信するようにしてもよい。
【００４３】
なお、上述では実施の形態１〜４を別々のものとして説明したが、各実施の形態は組み合わせることもできる。
【符号の説明】
【００４４】
１…画像信号処理部、２…画像合成部、３…画像出力部、４…ネットワークインターフェース部、５…文字画像生成部、６…音声合成部、７…スピーカー、８…音声切替部、９…システム制御部、１０１〜１０３…プロジェクタ、４００…ホスト装置
【図１】
2011128425.tif 000003
【図２】
2011128425.tif 000004
【図３】
2011128425.tif 000005
【図４】
2011128425.tif 000006
【図５】
2011128425.tif 000007
【図６】
2011128425.tif 000008
【図７】
2011128425.tif 000009
【図８】
2011128425.tif 000010
【図９】
2011128425.tif 000011
【図１０】
2011128425.tif 000012
【図１１】
2011128425.tif 000013
【図１２】
2011128425.tif 000014
【図１３】
2011128425.tif 000015